(57)【要約】【課題】掘削土砂の性状をできるだけ正確に把握し得る掘削土砂のサンプリング装置を提供することを目的とする。【解決手段】シールド本体の隔壁３に回転自在に支持されたカッタヘッドと上記隔壁との間に圧力室５が形成されるとともに当該圧力室に取り込まれた掘削土砂を排出するスクリュウ式排土装置を具備した土圧式シールド掘進機における掘削土砂をサンプリングする装置７であって、隔壁３に入口側開閉弁２２を介して接続された筒状の土砂取出用ケーシング２３と、このケーシングの内部に回転自在に配置された土砂取出用のスクリュウ羽根２４と、このスクリュウ羽根を回転させる回転ハンドル２５と、上記ケーシングに形成された土砂取出口２３ａに設けられた出口側開閉弁２６とから構成したものである。【選択図】　　　図２
2004068250.tif 000002
【特許請求の範囲】
【請求項１】
土圧式シールド掘進機によりトンネルを掘削する際に、
圧力室または排土装置の圧力室寄り位置での掘削土砂を、土砂取出用スクリュウ羽根を介してサンプリングすることを特徴とする土砂サンプリング方法。
【請求項２】
シールド本体の隔壁に回転自在に支持されたカッタヘッドと上記隔壁との間に圧力室が形成されるとともに当該圧力室に取り込まれた掘削土砂を排出するスクリュウ式排土装置を具備した土圧式シールド掘進機における掘削土砂をサンプリングする装置であって、
上記隔壁またはスクリュウ式排土装置の筒状ケーシングに入口側開閉部材を介して接続された筒状体と、この筒状体の内部に回転自在に配置された土砂取出用スクリュウ羽根と、このスクリュウ羽根を回転させる回転駆動部材と、上記筒状体の出口側に設けられた出口側開閉部材とから構成したことを特徴とする土砂サンプリング装置。
【請求項３】
シールド本体の隔壁に回転自在に支持されたカッタヘッドと上記隔壁との間に圧力室が形成されるとともに当該圧力室に取り込まれた掘削土砂を排出するスクリュウ式排土装置を具備した土圧式シールド掘進機における掘削土砂をサンプリングする装置であって、
上記隔壁またはスクリュウ式排土装置の筒状ケーシングに両端部が開口された筒状体と、この筒状体内に回転可能に配置された土砂取出用スクリュウ羽根と、このスクリュウ羽根を回転させる回転駆動装置と、上記筒状体の途中に形成された土砂取出口を開閉自在な開閉装置とから構成したことを特徴とする土砂サンプリング装置。
【請求項４】
シールド本体の隔壁に回転自在に支持されたカッタヘッドと上記隔壁との間に圧力室が形成されるとともに当該圧力室に取り込まれた掘削土砂を排出するスクリュウ式排土装置を具備した土圧式シールド掘進機における掘削土砂をサンプリングする装置であって、
上記隔壁またはスクリュウ式排土装置の筒状ケーシングに両端部が開口された円弧状の筒状体と、この筒状体内に回転可能に配置され且つその長手方向において複数に分割されるとともに互いにピン連結された土砂取出用のリボン状スクリュウ羽根と、このリボン状スクリュウ羽根の外周に取り付けられた環状板体を介して当該リボン状スクリュウ羽根を回転させる回転駆動装置と、上記筒状体の途中に形成された土砂取出口を開閉自在な開閉部材とから構成したことを特徴とする土砂サンプリング装置。
【請求項５】
シールド本体の隔壁に回転自在に支持されたカッタヘッドと上記隔壁との間に圧力室が形成されるとともに当該圧力室に取り込まれた掘削土砂を排出するスクリュウ式排土装置を具備した土圧式シールド掘進機における掘削土砂をサンプリングする装置であって、
上記隔壁またはスクリュウ式排土装置の筒状ケーシングに一端部がそれぞれ開口されるとともに他端部同士が互いに接続された第１および第２筒状体と、これら各筒状体内に回転可能に配置された土砂取出用の第１および第２スクリュウ羽根と、これら第１および第２スクリュウ羽根を回転させる第１および第２回転駆動装置と、上記いずれか一方の筒状体に形成された土砂取出口を開閉自在な開閉装置とから構成したことを特徴とする土砂サンプリング装置。
【発明の詳細な説明】
【０００１】
【発明の属する技術分野】
本発明は、土圧式シールド掘進機によりトンネルを掘削する際の圧力室内または排土装置内での掘削土砂のサンプリング方法およびサンプリング装置に関するものである。
【０００２】
【従来の技術】
通常、土圧式シールド掘進機を用いたシールド工法では、掘削土砂を塑性流動化させて圧力室内や排土装置のスクリュウコンベヤ内に充満させることにより、切羽の土圧・水圧を保持しながら掘削が行われる。
【０００３】
ところで、掘削土砂がそれ自体で塑性流動化しない場合には、塑性流動化用の土砂改良材（添加材ともいう）が圧力室（カッタチャンバともいう）内に強制的に注入されているが、その注入量については、掘削土砂が適正な流動化状態となるように行われていた。
【０００４】
そして、この掘削土砂を適正な流動化状態にするためには、掘削土砂がどのような性状であるのか、粒度分布はどうか、注入した改良添加材が適量であるのかを調べる必要があるが、従来、圧力室内の掘削土砂を排出するためのスクリュウ式排土装置から排出される掘削土砂により調べられていた。
【０００５】
【発明が解決しようとする課題】
上述したように、排土装置から排出される掘削土砂に基づき掘削土砂の性状を調べた場合、かなりの時間遅れが生じているため、現時点での掘削土砂の性状とは異なっていることが予想され、したがって掘削土砂の性状を正確に把握するのが困難となり、掘削不能などのトラブルが発生する畏れがあった。
【０００６】
そこで、本発明は、掘削土砂の性状をできるだけ正確に把握し得る掘削土砂のサンプリング方法およびサンプリング装置を提供することを目的とする。
【０００７】
【課題を解決するための手段】
上記課題を解決するために、本発明の請求項１に係る掘削土砂のサンプリング方法は、土圧式シールド掘進機によりトンネルを掘削する際に、
圧力室または排土装置の圧力室寄り位置での掘削土砂を、土砂取出用スクリュウ羽根を介してサンプリングする方法であり、特に圧力室内または排土装置内での土圧をそれ程低下させることなくサンプリングする方法である。
【０００８】
また、本発明の請求項２に係る土砂サンプリング装置は、シールド本体の隔壁に回転自在に支持されたカッタヘッドと上記隔壁との間に圧力室が形成されるとともに当該圧力室に取り込まれた掘削土砂を排出するスクリュウ式排土装置を具備した土圧式シールド掘進機における掘削土砂をサンプリングする装置であって、
上記隔壁またはスクリュウ式排土装置の筒状ケーシングに入口側開閉部材を介して接続された筒状体と、この筒状体の内部に回転自在に配置された土砂取出用スクリュウ羽根と、このスクリュウ羽根を回転させる回転駆動部材と、上記筒状体の出口側に設けられた出口側開閉部材とから構成したものである。
【０００９】
また、本発明の請求項３に係る土砂サンプリング装置は、シールド本体の隔壁に回転自在に支持されたカッタヘッドと上記隔壁との間に圧力室が形成されるとともに当該圧力室に取り込まれた掘削土砂を排出するスクリュウ式排土装置を具備した土圧式シールド掘進機における掘削土砂をサンプリングする装置であって、
上記隔壁またはスクリュウ式排土装置の筒状ケーシングに両端部が開口された筒状体と、この筒状体内に回転可能に配置された土砂取出用スクリュウ羽根と、このスクリュウ羽根を回転させる回転駆動装置と、上記筒状体の途中に形成された土砂取出口を開閉自在な開閉装置とから構成したものである。
【００１０】
また、本発明の請求項４に係る土砂サンプリング装置は、シールド本体の隔壁に回転自在に支持されたカッタヘッドと上記隔壁との間に圧力室が形成されるとともに当該圧力室に取り込まれた掘削土砂を排出するスクリュウ式排土装置を具備した土圧式シールド掘進機における掘削土砂をサンプリングする装置であって、
上記隔壁またはスクリュウ式排土装置の筒状ケーシングに両端部が開口された円弧状の筒状体と、この筒状体内に回転可能に配置され且つその長手方向において複数に分割されるとともに互いにピン連結された土砂取出用のリボン状スクリュウ羽根と、このリボン状スクリュウ羽根の外周に取り付けられた環状板体を介して当該リボン状スクリュウ羽根を回転させる回転駆動装置と、上記筒状体の途中に形成された土砂取出口を開閉自在な開閉部材とから構成したものである。
【００１１】
さらに、本発明の請求項５に係る土砂サンプリング装置は、シールド本体の隔壁に回転自在に支持されたカッタヘッドと上記隔壁との間に圧力室が形成されるとともに当該圧力室に取り込まれた掘削土砂を排出するスクリュウ式排土装置を具備した土圧式シールド掘進機における掘削土砂をサンプリングする装置であって、
上記隔壁またはスクリュウ式排土装置の筒状ケーシングに一端部がそれぞれ開口されるとともに他端部同士が互いに接続された第１および第２筒状体と、これら各筒状体内に回転可能に配置された土砂取出用の第１および第２スクリュウ羽根と、これら第１および第２スクリュウ羽根を回転させる第１および第２回転駆動装置と、上記いずれか一方の筒状体に形成された土砂取出口を開閉自在な開閉装置とから構成したものである。
【００１２】
上記の各構成によると、圧力室の隔壁またはスクリュウ式排土装置の筒状ケーシングに、掘削土砂のサンプルを取り出すためのサンプリング装置を設けたので、排土装置から排出された掘削土砂を調べる場合に比べて、時間的な遅れを改善することができ、したがって掘削土砂の性状をより正確に把握することができる。
【００１３】
【発明の実施の形態】
本発明に係る土砂サンプリング方法および土砂サンプリング装置は、土圧式シールド工法、すなわち土圧式シールド掘進機（例えば、土圧シールド掘進機、泥土圧シールド掘進機など）を用いてトンネルの掘削を行う際に、カッタヘッドにより掘削されるとともにその圧力室内に取り込まれた掘削土砂の性状を調べるために、当該掘削土砂をサンプリングするためのもので、以下、第１〜第４の実施の形態について、図面を参照しながら説明する。
【００１４】
第１の実施の形態に係る土砂サンプリング方法および土砂サンプリング装置を、図１および図２に基づき説明する。
まず、土圧式シールド掘進機の概略構成を、図１に基づき説明する。
【００１５】
このシールド掘進機１は、少なくとも、筒状のシールド本体２と、このシールド本体２の前部に設けられた隔壁３に回転自在に支持されたカッタヘッド４と、このカッタヘッド４と隔壁３との間に形成された圧力室（カッタチャンバともいう）５に取り込まれた掘削土砂を外部に排出するためのスクリュウ式排土装置６とから構成されている。
【００１６】
なお、このスクリュウ式排土装置６は、一端部が上記隔壁３の下方位置に開口（接続）された土砂排出用の筒状ケーシング１１と、この筒状ケーシング１１内に回転可能に配置された土砂排出用の軸付きスクリュウ羽根１２と、このスクリュウ羽根１２をその外周に固着された環状板体を介して所定方向に回転させる回転駆動装置１３とから構成されている。
【００１７】
そして、このシールド掘進機１には、カッタヘッド４によりシールド本体２内に取り込まれた掘削土砂の性状を調べるための土砂サンプリング装置７が具備されている。
【００１８】
この土砂サンプリング装置７は、図２に示すように、スクリュウ式排土装置６とは異なる位置の隔壁３に、例えば隔壁３の上方位置に形成されたノズル部（開口部）２１に取り付けられた入口側開閉部材例えば入口側開閉弁２２と、この入口側開閉弁２２に一端側の開口部が接続されるとともに他端寄り位置に土砂取出口（ノズル部でもある）２３ａが形成された筒状の土砂取出用ケーシング（筒状体）２３と、この土砂取出用ケーシング２３内に回転可能に且つ当該ケーシング２３の軸心方向で移動可能に配置されるとともにその軸部２４ａがケーシング２３の他端側蓋部２３ｂから外方に突出された土砂取出用の軸付きスクリュウ羽根２４と、このスクリュウ羽根２４の軸部２４ａの端部に設けられて当該スクリュウ羽根２４の先端部を隔壁３から圧力室３内に突出させた突出位置（イ）と入口側開閉弁２２の開閉動作に邪魔にならない退入位置（ロ）との間で移動させるとともに当該スクリュウ羽根２４を回転させて圧力室５内の掘削土砂を土砂取出口２３ａに導くための回転駆動部材である回転ハンドル２５と、ケーシング２３の土砂取出口２３ａに接続された出口側開閉弁２６とから構成されている。なお、上記入口側開閉弁２２および出口側開閉弁２６としては例えばボール弁が使用されており、少なくとも、入口側開閉弁２２においては、その弁体２２ａを開いた際に、当該弁体２２ａに形成された貫通穴２２ｂ内をスクリュウ羽根２４が通過し得るようにされている。
【００１９】
上記シールド掘進機１において、カッタヘッド４の回転により地山を掘削している際に、入口側開閉弁２２および出口側開閉弁２６を開いた後、回転ハンドル２５にてスクリュウ羽根２４を前方に押して、その先端部を圧力室５内に位置させる。そして、回転ハンドル２５を回転させてスクリュウ羽根２４を回転させることにより、圧力室５内の掘削土砂をケーシング２３内に取り込んだ後、土砂取出口２３ａからサンプルとして取り出せばよい。勿論、サンプルを取り出した後、入口側および出口側開閉弁２２，２６は閉じられる。
【００２０】
このように、圧力室５の隔壁３に、掘削土砂を取り出すためのスクリュウ羽根２４が回転可能に配置されたケーシング２３を接続して、圧力室５内の掘削土砂をサンプルとして取り出すようにしたので、従来のように、排土装置６から排出された掘削土砂の性状を調べる場合に比べて、時間的な遅れ（タイムラグ）が殆どなくなり、したがって掘削土砂の性状をより正確に把握することができる。例えば、圧力室内の掘削土砂が塑性流動化不足である場合には、カッタヘッドの回転トルクが不足して掘削不能に陥ったり、または排土装置でのスクリュウ羽根の回転不能が発生したりするが、このような事態を未然に防ぐことができる。すなわち、トラブルの発生による長期の掘削休止を防止することができる。
【００２１】
なお、ケーシング２３の土砂取出口２３ａから掘削土砂を取り出す際に、隔壁３から土砂取出口２３ａまでの距離を長くとることにより、圧力室内の土圧に対抗し得る圧力（圧力降下）を発生させることができるので、すなわち圧力室５内の土圧を低下させることがないので（またはそれ程低下させることがないので）問題は生じない。
【００２２】
ところで、上記実施の形態においては、圧力室５の隔壁３に、土砂サンプリング装置７を設けたが、例えば図１の仮想線にて示すように、この土砂サンプリング装置７を、スクリュウ式排土装置６の土砂排出用の筒状ケーシング１１の途中（勿論、隔壁寄り位置が好ましい）に設けるようにしてもよい。この場合でも、排土装置から排出された土砂の性状を調べる場合に比べて、時間的な遅れの改善を図ることができる。
【００２３】
次に、本発明の第２の実施の形態に係る土砂サンプリング装置を、図３〜図５に基づき説明する。
本第２の実施の形態に係る土砂サンプリング装置３１は、隔壁３に所定間隔を有して形成された一対の開口部３ａ，３ｂ同士を接続するように当該隔壁３に沿って配置されるとともに途中に土砂取出口（ノズル部でもある）３２ａが形成された筒状の土砂取出用ケーシング（筒状体）３２と、このケーシング３２内に回転可能に配置された土砂取出用の軸付きスクリュウ羽根３３と、このスクリュウ羽根３３の軸部３３ａに連結されて当該スクリュウ羽根３３を所定方向に回転させる回転駆動装置３４と、上記土砂取出口３２ａを開閉する開閉装置（開閉部材と称してもよい）３５とから構成されている。
【００２４】
上記回転駆動装置３４は、スクリュウ羽根３３の軸部３３ａの一端部に取り付けられた従動側歯車４１と、この従動側歯車４１に噛合する駆動側歯車４２を回転させる電動機４３とから構成されており、また上記開閉装置３５は、ケーシング３２の土砂取出口３２ａを開閉可能な開閉蓋４４と、この開閉蓋４４を開閉させるシリンダ装置４５とから構成されている。なお、上記スクリュウ羽根３３については、圧力室５内の掘削土砂の取込みおよび排出を確実に行うために、図３および図４に示すように、各開口部３ａ，３ｂに対応するスクリュウ羽根３３ｂについては、その外径が大きくされている。勿論、この外径が大きくされたスクリュウ羽根３３ｂに対応するケーシング３２ｂについても、その径が大きくされている。
【００２５】
上記構成において、カッタヘッド４により地山を掘削している際に、回転駆動装置３４により、スクリュウ羽根３３を回転させるとともに、シリンダ装置４５により開閉蓋４４を開けば、圧力室５内の掘削土砂がケーシング３２内に取り込まれた後、その土砂取出口３２ａより外部にサンプルとして取り出される。
【００２６】
この構成の場合も、上述した第１の実施の形態と同様の効果が得られる。
次に、本発明の第３の実施の形態に係る土砂サンプリング装置を、図６および図７に基づき説明する。
【００２７】
本第３の実施の形態に係る土砂サンプリング装置５１は、隔壁３に所定間隔を有して形成された一対の開口部３ｃ同士を接続するとともに湾曲状（Ｕ字形状）に形成されるとともに途中に土砂取出口（ノズル部でもある）５２ａが形成された筒状の土砂取出用ケーシング（筒状体）５２と、このケーシング５２内に回転可能に配置された土砂取出用の中心軸がないリボン状スクリュウ羽根５３と、このリボン状スクリュウ羽根５３を所定方向に回転させる回転駆動装置５４と、上記土砂取出口５２ａを開閉する開閉弁（開閉部材）５５とから構成されている。
【００２８】
上記回転駆動装置５４は、リボン状スクリュウ羽根５３の途中の外周に固定されるとともにケーシング５２側の途中に形成された環状溝部５２ｂにて支持され且つその外周面にリング状歯車６２が形成された環状板体（回転駆動環ともいう）６１と、この環状板体６１の外周面のリング状歯車６２に噛合する駆動用歯車６３と、この駆動用歯車６３を回転させる電動機６４とから構成されている。
【００２９】
ところで、上述したように、リング状スクリュウ羽根５３は湾曲した筒状のケーシング５２内に回転可能に配置されるため、このリボン状スクリュウ羽根５３は、図８に示すように、少なくとも湾曲部においては、１ピッチごとに分割されるとともに、スクリュウ羽根５３の回転軸心と平行な軸心を含む平面内で互いに揺動し得るように、すなわち図６の矢印ａにて示すように、分割羽根部５３ａ，５３ａ同士が前後方向で揺動し得る（折れ曲がる）ようにピン５６を介して連結されている。例えば、環状板体６１が取り付けられる３ピッチ分だけは一体物として製作されているが、他の部分では、１ピッチ分づつ分割されている。
【００３０】
なお、上記開閉弁５５としては、第１の実施の形態にて説明したものと同様の開閉弁が用いられる。
上記構成において、カッタヘッド４により地山を掘削している際に、回転駆動装置５４により、リボン状スクリュウ羽根５３を回転させるとともに、開閉弁５５を開けば、圧力室５内の掘削土砂がケーシング５１内に取り込まれた後、その土砂取出口５２ａより外部にサンプルとして取り出される。
【００３１】
この場合も、第１の実施の形態と同様の効果が得られる。
次に、本発明の第４の実施の形態に係る土砂サンプリング装置を、図９および図１０に基づき説明する。
【００３２】
上記第３の実施の形態においては、掘削土砂を圧力室５から取り出す際に、一対の開口部３ｂ，３ｂ同士に湾曲状の土砂取出用ケーシング５２の両端部を接続したが、本第４の実施の形態では、２個の真っ直ぐな土砂取出用ケーシングを直交する方向で配置してＬ字形状としたものである。
【００３３】
すなわち、図９に示すように、この土砂サンプリング装置７１は、隔壁３に形成された一対の開口部３ｃ，３ｃに、一端部がそれぞれ開口（接続）されるとともに他端部同士が互いに連通するように接続された筒状の土砂取出用第１ケーシング（筒状体）７２および筒状の土砂取出用第２ケーシング（筒状体）７３と、これら両ケーシング７２，７３内に回転可能に配置された軸付きの土砂取出用第１スクリュウ羽根７４および軸付きの土砂取出用第２スクリュウ羽根７５と、これら第１および第２スクリュウ羽根７４，７５をそれぞれ所定方向に回転させる第１および第２回転駆動装置７６，７７と、上記いずれか一方のケーシング、例えば両ケーシング７２，７３の交差位置の第２ケーシング７３側に形成された土砂取出口（ノズル部でもある）７３ａを開閉自在な開閉装置（開閉部材と称してもよい）７８とから構成したものである。
【００３４】
また、上記各回転駆動装置７６，７７は、ケーシング７２，７３内のスクリュウ羽根７４，７５を回転させるものであるが、互いの回転軸の延長線は交差することになり、このため、第１スクリュウ羽根７４については、羽根部を介して回転させるようにするとともに、第２スクリュウ羽根７５については、軸部を介して回転させるようにしている。
【００３５】
すなわち、上記第１回転駆動装置７６は、第１スクリュウ羽根７４の途中の羽根部外周に固定されるとともに第１ケーシング７２の途中に形成された環状溝部７２ｂにて支持され且つその外周面にリング状歯車８１が形成された環状板体（回転駆動環ともいう）８２と、この環状板体８２の外周面のリング状歯車８２に噛合する駆動用歯車８３と、この駆動用歯車８３を回転させる電動機８４とから構成されている。
【００３６】
一方、上記第２回転駆動装置７７は、直接、第２スクリュウ羽根７５を回転させるもので、通常の減速機付きの電動機が用いられている。
また、上記開閉装置７８は、第２ケーシング７３の土砂取出口７３ａを開閉可能な開閉蓋８５と、この開閉蓋８５を開閉させるシリンダ装置８６とから構成されている。
【００３７】
上記構成において、カッタヘッド４により地山を掘削している際に、第１および第２回転駆動装置７６，７７により、第１および第２スクリュウ羽根７４，７５を回転させるとともに、シリンダ装置８６により開閉蓋８５を開けば、圧力室５内の掘削土砂が第１ケーシング７２内に取り込まれた後、第２ケーシング７３側の土砂取出口７３ａより外部にサンプルとして取り出される。この場合も、第１の実施の形態と同様の効果が得られる。なお、第２ケーシング７３側に土砂取出口７３ａを設けたが、勿論、第１ケーシング７２側に設けることもできる。
【００３８】
ところで、上記第２〜第４の実施の形態において、サンプルを取り出さない場合でも、土砂取出用のスクリュウ羽根の回転を継続させて圧力室内の掘削土砂を土砂取出用ケーシングとの間で循環させておくことにより、常に新鮮なサンプルを取り出すことができる。
【００３９】
また、上記第２〜第４の実施の形態において、土砂取出用のスクリュウ羽根を所定方向に回転させると説明したが、正逆回転が可能であり、逆方向に回転させることにより、掘削土砂の取り込み位置（開口位置）を変更することができる。
【００４０】
また、上記第２〜第４の実施の形態においては、土砂サンプリング装置を圧力室の隔壁に設けたが、この土砂サンプリング装置を、スクリュウ式排土装置の土砂排出用の筒状ケーシングの途中（勿論、隔壁寄り位置が好ましい）に設けるようにしてもよい。具体的には、土砂取出用のケーシングがスクリュウ式排土装置の筒状ケーシングに開口（接続）されることになる。この場合でも、排土装置から排出された土砂の性状を調べる場合に比べて、時間的な遅れの改善を図ることができる。
【００４１】
また、上記第１、第２および第４の実施の形態において、土砂取出用のスクリュウ羽根として、軸付きのスクリュウ羽根を説明したが、中心軸のないリボン状スクリュウ羽根を、適宜に用いることができる。
【００４２】
さらに、上記第２および第４の実施の形態において、土砂取出口の開閉装置として、シリンダ装置により開閉される開閉蓋を説明したが、この替わりに、第１および第３の実施の形態にて説明したような開閉弁を用いることもできる。
【００４３】
【発明の効果】
以上のように本発明の土砂サンプリング方法および土砂サンプリング装置の構成によると、圧力室の隔壁またはスクリュウ式排土装置の筒状ケーシングに、掘削土砂のサンプルを取り出すためのサンプリング装置を設けたので、従来のように、排土装置から排出された掘削土砂の性状を調べる場合に比べて、時間的な遅れを改善することができ、したがって掘削土砂の性状をより正確に把握することができるので、掘削不能などのトラブルの発生を防止することができる。
【図面の簡単な説明】
【図１】本発明の第１の実施の形態に係る土砂サンプリング装置が設けられた土圧式シールド掘進機の概略構成を示す断面図である。
【図２】同土砂サンプリング装置の断面図である。
【図３】本発明の第２の実施の形態に係る土砂サンプリング装置の断面図である。
【図４】図３のＡ−Ａ断面図である。
【図５】図３のＢ−Ｂ断面図である。
【図６】本発明の第３の実施の形態に係る土砂サンプリング装置の断面図である。
【図７】図６のＣ−Ｃ矢視図である。
【図８】図６のＤ−Ｄ断面図である。
【図９】本発明の第４の実施の形態に係る土砂サンプリング装置の断面図である。
【図１０】図９のＥ−Ｅ断面図である。
【符号の説明】
１　　　シールド掘進機
３　　　隔壁
４　　　カッタヘッド
５　　　圧力室
６　　　スクリュウ式排土装置
７　　　土砂サンプリング装置
１１　　　筒状ケーシング
１２　　　スクリュウ羽根
１３　　　回転駆動装置
２１　　　ノズル部
２２　　　入口側開閉弁
２３　　　土砂取出用ケーシング
２３ａ　　土砂取出口
２４　　　スクリュウ羽根
２６　　　出口側開閉弁
３１　　　土砂サンプリング装置
３２　　　土砂取出用ケーシング
３２ａ　　土砂取出口
３３　　　スクリュウ羽根
３４　　　回転駆動装置
３５　　　開閉装置
５１　　　土砂サンプリング装置
５２　　　土砂取出用ケーシング
５２ａ　　土砂取出口
５３　　　リボン状スクリュウ羽根
５４　　　回転駆動装置
５５　　　開閉弁
５６　　　ピン
７１　　　土砂サンプリング装置
７２　　　第１ケーシング
７３　　　第２ケーシング
７３ａ　　土砂取出口
７４　　　第１スクリュウ羽根
７５　　　第２スクリュウ羽根
７６　　　第１回転駆動装置
７７　　　第２回転駆動装置
７８　　　開閉装置
【図１】
2004068250.tif 000003
【図２】
2004068250.tif 000004
【図３】
2004068250.tif 000005
【図４】
2004068250.tif 000006
【図５】
2004068250.tif 000007
【図６】
2004068250.tif 000008
【図７】
2004068250.tif 000009
【図８】
2004068250.tif 000010
【図９】
2004068250.tif 000011
【図１０】
2004068250.tif 000012